(57)【要約】【課題】複雑なＥＭＩフィルタを設けずに、駆動クロックによる不要輻射を削減する。【解決手段】被写体の入射光像を受光部で光電変換し、上記光像に応じた電荷列を垂直方向および水平方向に転送して出力する撮像素子であるＣＣＤ３１と、水平転送クロックＨ１を生成してＨ１出力端子からＣＣＤ３１のＨ１入力端子に供給するタイミングジェネレータ３０と、Ｈ１出力端子とＨ１入力端子とを接続する配線とを備えた撮像装置において、Ｈ１ノード（Ｈ１出力端子、Ｈ１入力端子、または上記配線）とグランドの間にコンデンサＣ１を設け、Ｈ１出力端子の出力インピーダンスとコンデンサＣ１とによってローパスフィルタを構成する。【選択図】図２
2004282725.tif 000002
【特許請求の範囲】
【請求項１】
被写体の入射光像を受光部で光電変換し、上記光像に応じた電荷列を垂直方向および水平方向に転送して出力する撮像素子と、
第１の駆動クロックを生成して第１の出力端子から上記撮像素子の第１の入力端子に供給するタイミングジェネレータと、
上記第１の出力端子と上記第１の入力端子とを接続する第１の配線と
を備えた撮像装置において、
第１のノード（上記第１の出力端子、上記第１の入力端子、または上記第１の配線）とグランドの間に第１のコンデンサを設け、上記第１の出力端子の出力インピーダンスと上記第１のコンデンサとによって第１のローパスフィルタを構成した
ことを特徴とする撮像装置。
【請求項２】
上記第１のローパスフィルタと上記第１の入力端子の間に抵抗および第２のコンデンサによって構成した第２のローパスフィルタをさらに設けたことを特徴とする請求項１記載の撮像装置。
【請求項３】
上記第１のノードと上記第１のコンデンサの間に第１のセレクタを設け、上記第１のコンデンサを互いに並列接続された複数のコンデンサで構成し、入力された制御信号に従って上記複数のコンデンサ内のいずれか１つまたは複数あるいは全てを上記第１のセレクタで選択して上記第１のノードに接続する
ことを特徴とする請求項１記載の撮像装置。
【請求項４】
被写体の入射光像を受光部で光電変換し、上記光像に応じた電荷列を垂直方向および水平方向に転送して出力する撮像素子と、
複数の駆動クロックを生成して複数の出力端子から上記撮像素子の複数の入力端子にそれぞれ供給するタイミングジェネレータと、
上記複数の出力端子と上記複数の入力端子とをそれぞれ接続する複数の配線と
を備えた撮像装置において、
上記複数の配線の内の任意の２本をそれぞれ第１および第２の配線とし、
上記第１の配線によって接続される上記出力端子および上記入力端子をそれぞれ第１の出力端子、第１の入力端子とし、
上記第２の配線によって接続される上記出力端子および上記入力端子をそれぞれ第２の出力端子、第２の入力端子として、
第１のノード（上記第１の出力端子、上記第１の入力端子、または上記第１の配線）とグランドの間に第１のコンデンサを設け、上記第１の出力端子の出力インピーダンスと上記第１のコンデンサとによって第１のローパスフィルタを構成し、
第２のノード（上記第２の出力端子、上記第２の入力端子、または第２の配線）と上記グランドの間に第２のコンデンサを設け、上記第２の出力端子の出力インピーダンスと上記第２のコンデンサとによって第２のローパスフィルタを構成した
ことを特徴とする撮像装置。
【請求項５】
上記第１の駆動クロックと上記第２の駆動クロックとは、互いに逆極性のクロックであり、
上記第１のコンデンサと上記第２のコンデンサとは、同等の容量である
ことを特徴とする請求項４記載の撮像装置。
【請求項６】
上記第１の駆動クロックと上記第２の駆動クロックとは、互いに逆極性のクロックであり、
上記第１のコンデンサと上記第２のコンデンサとは、互いに異なる容量である
ことを特徴とする請求項４記載の撮像装置。
【請求項７】
上記イメージセンサ素子においての上記第１の入力端子とグランドの間の等価容量および上記第１のコンデンサの並列合成容量と、上記イメージセンサ素子においての上記第２の入力端子とグランドの間の等価容量および上記第２のコンデンサの並列合成容量とが、互いに等しくなるように、上記第１のコンデンサおよび上記第２のコンデンサの容量が設定されていることを特徴とする請求項４記載の撮像装置。
【請求項８】
上記第１のノードと上記第１のコンデンサの間に第１のセレクタを設け、上記第１のコンデンサを互いに並列接続された複数のコンデンサで構成し、入力された第１の制御信号に従って上記第１のコンデンサの上記複数のコンデンサ内のいずれか１つまたは複数あるいは全てを上記第１のセレクタで選択して上記第１のノードに接続し、  上記第２のノードと上記第２のコンデンサの間に第２のセレクタを設け、上記第２のコンデンサを互いに並列接続された複数のコンデンサで構成し、入力された第２の制御信号に従って上記第２のコンデンサの上記複数のコンデンサ内のいずれか１つまたは複数あるいは全てを上記第２のセレクタで選択して上記第２のノードに接続する
ことを特徴とする請求項４記載の撮像装置。
【請求項９】
上記撮像素子においての上記第１の入力端子とグランドの間の等価容量および上記第１のコンデンサの並列合成容量と、上記イメージセンサ素子においての上記第２の入力端子−グランド間の等価容量および上記第２のコンデンサの並列合成容量とが、互いに等しくなるように、上記第１のコンデンサおよび上記第２のコンデンサの容量が上記第１の制御信号および上記第２の制御信号によって調整されることを特徴とする請求項８記載の撮像装置。
【請求項１０】
上記撮像素子がＣＣＤ撮像素子であり、
上記第１および第２の駆動クロックが、上記ＣＣＤ撮像素子の水平転送部を駆動する互いに逆極性の水平転送クロックである
ことを特徴とする請求項４記載の撮像装置。
【請求項１１】
上記コンデンサが、上記タイミングジェネレータの外部に設けられていることを特徴とする請求項１または４に記載の撮像装置。
【請求項１２】
上記コンデンサが、上記タイミングジェネレータの内部に設けられていることを特徴とする請求項１または４に記載の撮像装置。
【請求項１３】
携帯情報端末装置に搭載されたことを特徴とする請求項１から請求項１２までのいずれかに記載の撮像装置。
【請求項１４】
上記携帯情報端末装置が、通信機能を有する携帯電話または携帯情報機器であることを特徴とする請求項８記載の撮像装置。
【発明の詳細な説明】
【技術分野】
【０００１】
本発明は、撮像装置に関するものであり、特に携帯電話や携帯情報機器（例えば携帯パソコン）などの携帯情報端末装置に搭載するのに適した撮像装置に関するものである。
【背景技術】
【０００２】
従来の撮像装置には、水平転送クロックの出入端子間にインダクタンスを挿入して、水平転送クロックの立上り特性を改善し、低電力駆動を実現したもの（例えば、特許文献１参照）や、水平転送クロックの出入端子間に設けられたダンピング抵抗に並列に高速駆動補正のためのコンデンサを挿入して、高速駆動を実現したもの（例えば、特許文献２参照）があった。
【０００３】
【特許文献１】特開平８−４６８７９号公報（図１）
【特許文献２】特開平１１−２２０５６７号公報（図１）
【発明の開示】
【発明が解決しようとする課題】
【０００４】
しかしながら、水平転送クロック端子間にインダクタンスを挿入した構成やダンピング抵抗に並列にコンデンサを挿入した構成の上記従来の撮像装置では、水平転送クロックの立上り特性が急峻になり、水平転送クロックの高次の逓倍波が増える。これによって、水平転送クロックによる不要な輻射（電磁放射）が増え、この不要な輻射によって通信機能を有する携帯情報端末装置の送受信感度を悪化させるなどのＥＭＩの問題を生じていた。
【０００５】
本発明は、このような従来の課題を解消するためになされたものであり、複雑なＥＭＩフィルタを設けずに、駆動クロックによる不要輻射を削減できる撮像装置を提供することを目的とするものである。
【課題を解決するための手段】
【０００６】
本発明の撮像装置は、
被写体の入射光像を受光部で光電変換し、上記光像に応じた電荷列を垂直方向および水平方向に転送して出力する撮像素子と、
第１の駆動クロックを生成して第１の出力端子から上記撮像素子の第１の入力端子に供給するタイミングジェネレータと、
上記第１の出力端子と上記第１の入力端子とを接続する第１の配線と
を備えた撮像装置において、
第１のノード（上記第１の出力端子、上記第１の入力端子、または上記第１の配線）とグランドの間に第１のコンデンサを設け、上記第１の出力端子の出力インピーダンスと上記第１のコンデンサとによって第１のローパスフィルタを構成した
ことを特徴とするものである。
【発明の効果】
【０００７】
本発明によれば、複雑なＥＭＩフィルタを設けずに、不要な輻射を低減できるという効果がある。
【発明を実施するための最良の形態】
【０００８】
実施の形態１．
図１は本発明の実施の形態１の撮像装置のブロック構成図である。この実施の形態１の撮像装置は、撮像素子１と、垂直ＣＣＤ駆動信号ドライブ部２と、撮像システム制御部３と、撮像信号処理部４とを備えている。
【０００９】
撮像システム制御部３は、画素クロックをカウントする水平カウンタと、上記水平カウンタが所定のカウント値に達して出力されるキャリーをカウントする垂直カウンタとを有する。
【００１０】
この撮像システム制御部３は、垂直転送制御パルスφＶ１，φＶ２，φＶ３，φＶ４、読み出し制御パルスφＴＧ１，φＴＧ３、および電子シャッター制御パルスφＯＦＤを生成し、これらのパルスを垂直ＣＣＤ駆動信号ドライブ部２に供給する。
【００１１】
また、撮像システム制御部３は、水平転送クロックＨ１，Ｈ２およびリセットゲートクロックＲＳを生成し、これらのクロックを撮像素子１に供給する。
【００１２】
また、撮像システム制御部３は、ＣＤＳ用黒レベルサンプルホールドパルスＳＨＰ、ＣＤＳ用信号レベルサンプルホールドパルスＳＨＤ、Ａ／ＤクロックＡＤＣＬＫ、ブランキング信号ＰＢＬＫ、ＯＢ（光学的黒）レベル検出パルスＣＰＯＢを生成し、これらを撮像信号処理部４に供給する。
【００１３】
垂直ＣＣＤ駆動信号ドライブ部２は、撮像システム制御部３からの垂直転送制御パルスφＶ１，φＶ２，φＶ３，φＶ４、読み出し制御パルスφＴＧ１，φＴＧ３、および電子シャッター制御パルスφＯＦＤを高圧駆動し、垂直転送クロックＶ１，Ｖ２，Ｖ３，Ｖ４および電子シャッターパルスＯＦＤを撮像素子１に供給する。
【００１４】
撮像素子１は、垂直４相駆動水平２相駆動型のインライン型（インターライン型）ＣＣＤ撮像素子であり、受光部と、垂直転送部（ＶＣＣＤ）と、水平転送部（ＨＣＣＤ）とを有する。
【００１５】
上記受光部は、複数のフォトダイオードによって、被写体の入射光像を光電変換し、画素電荷を蓄積する。
【００１６】
上記ＶＣＣＤは、受光部に蓄積された画素電荷を、垂直ＣＣＤ駆動信号ドライブ部２からの垂直転送クロックＶ１，Ｖ２，Ｖ３，Ｖ４によって読み出して垂直方向に転送する。
【００１７】
上記ＨＣＣＤは、上記ＶＣＣＤから転送された画素電荷を、撮像システム制御部３からの水平転送クロックＨ１，Ｈ２によって水平方向に転送する。水平方向に転送された画素電荷列は、画素電荷信号ＯＳとして撮像信号処理部４に出力される。
【００１８】
撮像信号処理部４は、撮像素子１からの画素電荷信号ＯＳを、撮像処理制御部３からのＣＤＳ用黒レベルサンプルホールドパルスＳＨＰおよびＣＤＳ用信号レベルサンプルホールドパルスＳＨＤによってサンプリングしてＣＤＳ処理し、このＣＤＳ処理した信号をゲイン調整し、撮像処理制御部３からのＡ／ＤクロックＡＤＣＬＫによってＡ／Ｄ変換して、撮像信号ＣＣＤＯＵＴを出力する。
【００１９】
また、撮像信号処理部４は、ブランキング信号ＰＢＬＫおよび光学的黒レベル検出パルスＣＰＯＢによって撮像信号ＣＣＤＯＵＴの黒レベルを補正する。
【００２０】
図２は実施の形態１の撮像装置においての水平転送クロック駆動回路の回路図である。タイミングジェネレータ３０のＨ１出力端子とＣＣＤ３１のＨ１入力端子とはＨ１配線によって接続されており、タイミングジェネレータ３０のＨ２出力端子とＣＣＤ３１のＨ１入力端子は、Ｈ２配線によって接続されている。
【００２１】
なお、以下の説明において、Ｈ１出力端子、Ｈ１入力端子、およびＨ１配線の接続ノードを、Ｈ１ノードとし、Ｈ２出力端子、Ｈ２入力端子、およびＨ２配線の接続ノードを、Ｈ２ノードとする。
【００２２】
タイミングジェネレータ３０は、図１の撮像システム制御部３の機能を有する素子であり、水平転送クロックＨ１を生成してＨ１出力端子から出力するとともに、水平転送クロックＨ１とは逆極性の水平転送クロックＨ２を生成してＨ２出力端子から出力する。
【００２３】
また、ＣＣＤ３１は、図１の撮像素子１の機能を有する素子である。このＣＣＤ３１では、タイミングジェネレータ３０からＨ１入力端子に入力された水平転送クロックＨ１およびＨ２入力端子に入力された水平転送クロックＨ２によって、その内部のＨＣＣＤが駆動され、画素電荷列が水平転送される。
【００２４】
ＣＣＤ３１内のＨＣＣＤは容量性負荷であり、ＣＣＤ３１のＨ１，Ｈ２入力回路（ＣＣＤ３１内部でのＨ１入力端子−Ｈ２入力端子間の回路）は、図２に示すように、Ｈ１入力端子−グランド間の等価容量ＣＨ１と、Ｈ２入力端子−グランド間の等価容量ＣＨ２と、両入力端子間の等価容量ＣＨ１２とによって構成された等価回路として示すことが可能である。
【００２５】
タイミングジェネレータ３０から出力される高速駆動パルスである水平転送クロックＨ１，Ｈ２は、ＨＣＣＤでの画素電荷の転送効率を向上させるために、立上り／立下り時の過渡特性が線形性良く設計されている。これによって、水平転送クロックＨ１，Ｈ２は、高域の周波数までスペクトルが延びており、高次の逓倍波が増え、これによって高域においての不要輻射が増える。
【００２６】
そこで、図２に示すように、この実施の形態１では、Ｈ１ノード−グランド間にコンデンサＣ１を設け、タイミングジェネレータ３０のＨ１出力端子の出力インピーダンスとコンデンサＣ１とによって１次のＬＰＦ（ローパスフィルタ）を構成するとともに、Ｈ２ノード−グランド間にコンデンサＣ２を設け、タイミングジェネレータ３０のＨ２出力端子の出力インピーダンスとコンデンサＣ２とによって１次のＬＰＦを構成することにより、不要な高域成分を除去し、不要輻射を削減している。
【００２７】
図３は撮像装置においての水平転送クロックＨ１，Ｈ２の波形図であり、（ａ）はＣＣＤ３１内の等価容量（負荷容量）ＣＨ１とＣＨ２が同等の場合、（ｂ）は負荷容量ＣＨ１とＣＨ２が互いに異なる場合、（ｃ）は異なる負荷容量ＣＨ１，ＣＨ２をコンデンサＣ１，Ｃ２によって補正した実施の形態１の撮像装置の場合である。
【００２８】
負荷容量ＣＨ１とＣＨ２が同等の場合には、図３（ａ）に示すように、水平転送クロックＨ１の立下りの電圧と水平転送クロックＨ２の立上りの電圧が同等になるタイミングＣＰ１においてのクロスポイント電圧ＶＣＰ１と、水平転送クロックＨ１の立上りの電圧と水平転送クロックＨ２の立下りの電圧が同等になるタイミングＣＰ２においてのクロスポイント電圧ＶＣＰ２とは、ほぼ同等の値になる。
【００２９】
これに対し、負荷容量ＣＨ１とＣＨ２が異なる場合であって、タイミングジェネレータ３０が図３（ａ）と同等なドライブ能力である場合には、水平転送クロックＨ１とＨ２の過渡特性のタイミングが異なったものとなるため、図３（ｂ）に示すように、水平転送クロックＨ１の立下りの電圧と水平転送クロックＨ２の立上りの電圧が同等になるタイミングＣＰ１Ａにおいてのクロスポイント電圧ＶＣＰ１Ａと、水平転送クロックＨ１の立上りの電圧と水平転送クロックＨ２の立下りの電圧が同等になるタイミングＣＰ２Ａにおいてのクロスポイント電圧ＶＣＰ２Ａとは、互いに異なった値になる。また、タイミングＣＰ１ＡとＣＰ２Ａは、それぞれ図３（ａ）のタイミングＣＰ１，ＣＰ２よりも遅れ、タイミングＣＰ１Ａの遅延量とＣＰ２Ａの遅延量は互いに異なるものとなる。
【００３０】
このように、図３（ｂ）では、クロスポイント電圧ＶＣＰ１ＡとＶＣＰ１Ｂとが異なる値になり、タイミングＣＰ１ＡとＣＰ２Ａの遅延量が互いに異なるものとなるため、ＨＣＣＤの電荷転送効率が下がる。
【００３１】
また、図３（ｂ）の場合には、タイミングジェネレータ３０から見た負荷容量条件が、水平転送クロックＨ１およびＨ２がともに過渡期間である期間Ａと、水平転送クロックＨ２のみが過渡期間であって水平転送クロックＨ１がＧＮＤまたはＤＣレベルになっている期間Ｂとで異なるため、上記期間Ａにおいてのタイミングジェネレータ３０の出力バッファの駆動条件を最適設計すると、上記期間Ｂでは上記出力バッファのプッシュプル回路の吐き出し電流と引き込み電流が異なるものとなる。このため、タイミングジェネレータ３０のＨ１出力端子からの駆動電流と、Ｈ２出力端子からの駆動電流とが異なり、この駆動電流の違いによって、広いスペクトルの不要輻射が増える。
【００３２】
また、水平転送クロックＨ１とＨ２に同等な駆動能力のドライバを用いた場合、負荷容量ＣＨ１とＣＨ２が異なるため、入力端子間の等価容量ＣＨ１２を介してＨ１出力端子からの駆動電流とＨ２出力端子からの駆動電流との負荷バランスが崩れ、図４に示すように、水平転送クロックＨ１，Ｈ２にオーバーシュート／アンダーシュートが発生する。
【００３３】
不要輻射対策としてインダクタンスを含む帯域制限型のフィルタを用いた構造の場合、このオーバーシュート／アンダーシュートが、順バイアスとしてＣＣＤ３１の入出力端子の保護ダイオードにかかり、この保護ダイオードを破壊する可能性がある。
【００３４】
そこで、この実施の形態１では、コンデンサＣ１，Ｃ２およびＣＣＤ３１内の互いに異なる負荷容量ＣＨ１，ＣＨ２が、
ＣＨ１＋Ｃ１≒ＣＨ２＋Ｃ２（Ｃ１，Ｃ２≧０［ｐＦ］）…（１）
を満たすように、コンデンサＣ１およびＣ２の容量を設定する。
【００３５】
上記（１）式の条件を満たすコンデンサＣ１，Ｃ２により、図３（ｃ）に示すように、水平転送クロックＨ１の立上りの電圧と水平転送クロックＨ２の立下りの電圧が同等になるタイミングＣＰ１Ｂにおいてのクロスポイント電圧ＶＣＰ１Ｂと、水平転送クロックＨ２の立上りの電圧と水平転送クロックＨ１の立下りの電圧が同等になるタイミングＣＰ２Ｂにおいてのクロスポイント電圧ＶＣＰ２Ｂとを、ほぼ同等な値に補正でき、タイミングＣＰ１Ｂの遅延量とタイミングＣＰ２Ｂの遅延量も、ほぼ同等な値に補正できるので、ＨＣＣＤの電荷転送効率を改善できる。
【００３６】
また、上記（１）式の条件を満たすコンデンサＣ１，Ｃ２により、タイミングジェネレータ３０から見た負荷容量条件を上記期間Ａと期間Ｂとでほぼ同等に補正できるので、駆動電流の違いに起因する広いスペクトルの不要輻射を削減できる。
【００３７】
また、上記（１）式の条件を満たすコンデンサＣ１，Ｃ２により、入力端子間の等価容量ＣＨ１２を介してＨ１出力端子からの駆動電流とＨ２出力端子からの駆動電流との負荷バランスを確保できるので、水平転送クロックＨ１，Ｈ２においてのオーバーシュート／アンダーシュートの発生を防止できる。
【００３８】
なお、図３（ａ）のように負荷容量ＣＨ１とＣＨ２が同等の容量の場合においても、タイミングジェネレータ３０の出力端子の高周波特性を鈍らせてＥＭＩを解消するときなどには、互いに同等のコンデンサＣ１，Ｃ２を図２のように設けることにより、クロスポイント電圧ＶＣＰ１とＶＣＰ２を同等の値に保ったままで、かつＨＣＣＤの電荷転送効率を悪化させることはなく、不要輻射を削減できる。
【００３９】
また、コンデンサＣ１，Ｃ２は、水平転送クロックノード（Ｈ１ノード，Ｈ２ノード）に限らず、他の高速駆動クロックのノードに設けることも可能である。
【００４０】
以上のように実施の形態１によれば、水平転送クロックノード（Ｈ１ノード，Ｈ２ノード）−グランド間にコンデンサＣ１，Ｃ２を設け、タイミングジェネレータ３０の出力端子（Ｈ１出力端子，Ｈ２出力端子）の出力インピーダンスとコンデンサＣ１，Ｃ２とによってＬＰＦを構成することにより、複雑なＥＭＩフィルタを設けずに、駆動クロックによる不要輻射を削減できる。
【００４１】
さらに、上記（１）式を満たすようにコンデンサＣ１，Ｃ２の容量を設定することにより、ＨＣＣＤの電荷転送効率を改善でき、駆動電流の違いに起因する広いスペクトルの不要輻射を削減でき、水平転送クロックにおいてのオーバーシュート／アンダーシュートの発生を防止できる。
【００４２】
実施の形態２．
図５は本発明の実施の形態２の撮像装置においての水平転送クロック駆動回路の回路図であり、図２と同様のものには同じ符号を付してある。
【００４３】
この実施の形態２では、図５に示すように、Ｈ１出力端子−Ｈ１入力端子間に抵抗Ｒ１を設けるとともに、Ｈ２出力端子−Ｈ２入力端子間に抵抗Ｒ２を設け、Ｈ１入力端子−グランド間にコンデンサＣ３を設けるとともに、Ｈ２入力端子−グランド間にコンデンサＣ４設け、さらにＨ１出力端子−グランド間にコンデンサＣ５を設けるとともに、Ｈ２出力端子−グランド間にコンデンサＣ６を設けている。
【００４４】
このように実施の形態２では、タイミングジェネレータ３０のＨ１出力端子の出力インピーダンスとコンデンサＣ５とによって１次のＬＰＦが構成され、タイミングジェネレータ３０のＨ２出力端子の出力インピーダンスとコンデンサＣ６とによって１次のＬＰＦが構成される他に、コンデンサＣ５とＣＣＤ３１のＨ１入力端子間に抵抗Ｒ１とコンデンサＣ３とによって１次のＬＰＦが構成され、コンデンサＣ６とＣＣＤ３１のＨ２入力端子間に抵抗Ｒ２とコンデンサＣ４とによって１次のＬＰＦが構成される。
【００４５】
そして、Ｈ１出入端子間およびＨ２出入端子間のそれぞれに設けた２段のＬＰＦにより、上記実施の形態１よりもさらに確実に不要輻射を削減している。
【００４６】
また、この実施の形態２では、例えば、タイミングジェネレータ３０の水平転送クロックＨ１とＨ２の駆動能力が同じである場合に、コンデンサＣ３，Ｃ４およびＣＣＤ３１内の互いに異なる等価容量ＣＨ１，ＣＨ２が、
ＣＨ１＋Ｃ３≒ＣＨ２＋Ｃ４（Ｃ３，Ｃ４≧０［ｐＦ］）…（２）
を満たすように、コンデンサＣ３およびＣ４を設定し、コンデンサＣ５，Ｃ６がＣ５≒Ｃ６となり、抵抗Ｒ１，Ｒ２がＲ１≒Ｒ２となるように、コンデンサＣ５およびＣ６ならびに抵抗Ｒ１およびＲ２を設定する。
【００４７】
このようにコンデンサＣ３，Ｃ４などを設定することにより、上記実施の形態１と同様に、ＨＣＣＤの電荷転送効率を改善でき、駆動電流の違いに起因する広いスペクトルの不要輻射を削減でき、水平転送クロックにおいてのオーバーシュート／アンダーシュートの発生を防止できる。
【００４８】
なお、抵抗Ｒ１，Ｒ２に代えてインダクタンスＬ１，Ｌ２を設けることも可能である。
【００４９】
以上のように実施の形態２によれば、タイミングジェネレータ３０の出力端子（Ｈ１出力端子，Ｈ２出力端子）の出力インピーダンスとコンデンサＣ５，Ｃ６とによって構成されるＬＰＦの他に、抵抗Ｒ１，Ｒ２とコンデンサＣ３，Ｃ４とによって構成されるＬＰＦを設け、ＬＰＦを２段構成とすることにより、上記実施の形態１よりもさらに確実に不要輻射を削減できる。
【００５０】
実施の形態３．
図６は本発明の実施の形態３の撮像装置においての水平転送クロック駆動回路の回路図であり、図２と同様のものには同じ符号を付してある。
【００５１】
上記実施の形態１では、コンデンサＣ１，Ｃ２をタイミングジェネレータ３０およびＣＣＤ３１の外部に配置したが、この実施の形態３では、図６に示すように、コンデンサＣ１，Ｃ２をタイミングジェネレータ３０の内部に配置している。このように、コンデンサＣ１，Ｃ２をタイミングジェネレータ３０の内部に配置した構成としても、上記実施の形態１と同様の効果を得られる。
【００５２】
以上のように実施の形態３によれば、コンデンサＣ１，Ｃ２をタイミングジェネレータ３０の内部に配置することにより、上記実施の形態１と同様の効果を得られるとともに、外付け部品の実装面積を削減することができる。
【００５３】
実施の形態４．
図７は本発明の実施の形態４の撮像装置においての水平転送クロック駆動回路の回路図であり、図２と同様のものには同じ符号を付してある。
【００５４】
この実施の形態４では、図７に示すように、タイミングジェネレータ３０の内部に、Ｈ１容量セレクタと、Ｈ２容量セレクタと、コンデンサＣ１ａ，Ｃ１ｂ，Ｃ１ｃおよびコンデンサＣ２ａ，Ｃ２ｂ，Ｃ２ｃとを配置している。
【００５５】
コンデンサＣ１ａ，Ｃ１ｂ，Ｃ１ｃは、Ｈ１容量セレクタ−グランド間に、互いに並列に設けられている。同様に、コンデンサＣ２ａ，Ｃ２ｂ，Ｃ２ｃは、Ｈ２容量セレクタ−グランド間に、互いに並列に設けられている。
【００５６】
Ｈ１容量セレクタは、Ｈ１容量制御信号に従って、コンデンサＣ１ａ，Ｃ１ｂ，Ｃ１ｃの内のいずれか１つまたはいずれか２つあるいは全てをＨ１出力端子に接続する。同様に、Ｈ２容量セレクタは、Ｈ２容量制御信号に従って、コンデンサＣ２ａ，Ｃ２ｂ，Ｃ２ｃの内のいずれか１つまたはいずれか２つあるいは全てをＨ２出力端子に接続する。上記の容量制御信号は、例えばシリアル通信などによって外部から入力される。なお、１本の容量制御信号に、Ｈ１容量セレクタを制御するデータおよびＨ２容量セレクタを制御するデータを含めることも可能である。
【００５７】
このように実施の形態４では、Ｈ１ノードについてのコンデンサおよびＨ２ノードについてのコンデンサのそれぞれの容量を、上記の容量制御信号によって切り換え制御できる構成なので、ＣＣＤ３１が異なる場合や変更された場合、初期の容量値が最適設定されていなかった場合などにも、上記それぞれのコンデンサを不要輻射の削減のための最適な容量に個別に調整できる。
【００５８】
なお、Ｈ１容量セレクタまたは／およびコンデンサＣ１ａ，Ｃ１ｂ，Ｃ１ｃをタイミングジェネレータ３０の外部に設けることも可能である。同様に、Ｈ２容量セレクタまたは／およびコンデンサＣ２ａ，Ｃ２ｂ，Ｃ２ｃをタイミングジェネレータ３０の外部に設けることも可能である。
【００５９】
以上のように実施の形態４によれば、コンデンサの容量を切り換え制御することにより、コンデンサを不要輻射の削減のための最適な容量に調整できる。
【００６０】
実施の形態５．
図８は本発明の実施の形態５の撮像装置のブロック構成図である。この実施の形態５の撮像装置は、撮像素子１と、垂直ＣＣＤ駆動信号ドライブ部２と、撮像システム制御部３と、撮像信号処理部４とを備えている。
【００６１】
撮像システム制御部３は、画素クロックをカウントする水平カウンタと、上記水平カウンタが規定のカウント値に達して出力されるキャリーをカウントする垂直カウンタとを有する。
【００６２】
この撮像システム制御部３は、垂直転送制御パルスφＶ１Ａ／Ｂ，φＶ２，φＶ３Ａ／Ｂ，φＶ４、読み出し制御パルスφＴＧ１Ａ，φＴＧ１Ｂ，φＴＧ３Ａ，φＴＧ３Ｂ、および電子シャッター制御パルスφＯＦＤを生成し、垂直ＣＣＤ駆動信号ドライブ部２に供給する。
【００６３】
また、撮像システム制御部３は、水平転送クロックＨ１Ａ，Ｈ１Ｂ，Ｈ１Ｃ，Ｈ１Ｄ，Ｈ２Ａ，Ｈ２Ｂ、リセットゲートクロックＲＳ、およびラインメモリ制御信号ＬＭを生成し、これらを撮像素子１に供給する。
【００６４】
また、撮像システム制御部３は、ＣＤＳ用黒レベルサンプルホールドパルスＳＨＰ、ＣＤＳ用信号レベルサンプルホールドパルスＳＨＤ、Ａ／ＤクロックＡＤＣＬＫ、ブランキング信号ＰＢＬＫ、およびＯＢ（光学的黒）レベル検出パルスＣＰＯＢを生成し、これらを撮像信号処理部４に供給する。
【００６５】
垂直ＣＣＤ駆動信号ドライブ部２は、撮像システム制御部３からの垂直転送制御パルスφＶ１Ａ／Ｂ，φＶ２，φＶ３Ａ／Ｂ，φＶ４、読み出し制御パルスφＴＧ１Ａ，φＴＧ１Ｂ，φＴＧ３Ａ，φＴＧ３Ｂ、および電子シャッター制御パルスφＯＦＤを高圧駆動し、垂直転送クロックＶ１Ａ，Ｖ１Ｂ，Ｖ２，Ｖ３Ａ，Ｖ３Ｂ，Ｖ４および電子シャッターパルスＯＦＤを撮像素子１に供給する。
【００６６】
撮像素子１は、垂直６相水平６相駆動型のインライン型（インターライン型）ＣＣＤ撮像素子であり、受光部と、垂直転送部（ＶＣＣＤ）と、水平転送部（ＨＣＣＤ）と、ラインメモリ部とを有する。
【００６７】
上記受光部は、複数のフォトダイオードによって、被写体の入射光像を光電変換し、画素電荷を蓄積する。
【００６８】
上記ＶＣＣＤは、上記受光部に蓄積された画素電荷を、垂直ＣＣＤ駆動信号ドライブ部２からの垂直転送クロックＶ１Ａ，Ｖ１Ｂ，Ｖ２，Ｖ３Ａ，Ｖ３Ｂ，Ｖ４によって読み出して垂直方向に転送する。
【００６９】
上記ラインメモリ部は、水平画素混合（水平方向の同色２画素の混合）処理を実施するために設けられたものであり、上記ＶＣＣＤから転送された水平方向の画素電荷を一時保持し、水平方向の画素配列を入れ換えて上記ＨＣＣＤに転送する。
【００７０】
上記ＨＣＣＤは、上記ＶＣＣＤまたは上記ラインメモリ部から転送された画素電荷を、撮像システム制御部３からの水平転送クロックＨ１Ａ，Ｈ１Ｂ，Ｈ１Ｃ，Ｈ１Ｄ，Ｈ２Ａ，Ｈ２Ｂによって水平方向に転送する。水平方向に転送された画素電荷列は、画素電荷信号ＯＳとして撮像信号処理部４に出力される。
【００７１】
画素電荷が、ＶＣＣＤからラインメモリ部を介してＨＣＣＤに転送されるか（画素混合読み出しされるか）、それともＶＣＣＤからラインメモリ部を介さずにＨＣＣＤに転送されるか（全画素読み出しされるか）は、ラインメモリ制御信号ＬＭによって制御される。
【００７２】
このような実施の形態５の撮像装置では、水平転送クロックＨ１はＨ１Ａ，Ｈ１Ｂ，Ｈ１Ｃ，Ｈ１Ｄの４本であり、水平転送クロックＨ２はＨ２Ａ，Ｈ２Ｂの２本である。
【００７３】
このため、ＣＣＤの素子（図２などのＣＣＤ３１に相当するもの）には、水平転送クロックＨ１について、Ｈ１Ａ入力端子，Ｈ１Ｂ入力端子，Ｈ１Ｃ入力端子，Ｈ１Ｄ入力端子の合計４つの入力端子が設けられており、水平転送クロックＨ２について、Ｈ２Ａ入力端子，Ｈ２Ｂ入力端子の合計２つの入力端子が設けられている。
【００７４】
同様に、タイミングジェネレータの素子（図２などのタイミングジェネレータ３０に相当するもの）には、水平転送クロックＨ１について、Ｈ１Ａ出力端子，Ｈ１Ｂ出力端子，Ｈ１Ｃ出力端子，Ｈ１Ｄ出力端子の合計４つの出力端子が設けられており、水平転送クロックＨ２について、Ｈ２Ａ出力端子，Ｈ２Ｂ出力端子の合計２つの出力端子が設けられている。
【００７５】
そこで、例えばＨ１Ａ入力端子とＨ２Ａ入力端子について、図２または図５から図７までのいずれかにおいて、Ｈ１入力端子をＨ１Ａ入力端子に置き換え、Ｈ２入力端子をＨ２Ａ入力端子に置き換え、等価容量ＣＨ１をＨ１Ａ入力端子−グランド間の等価容量ＣＨ１Ａに置き換え、等価容量ＣＨ２をＨ２Ａ入力端子−グランド間の容量ＣＨ２Ａに置き換え、等価容量ＣＨ１２をＨ１Ａ入力端子−Ｈ２Ａ入力端子間の等価容量ＣＨ１Ａ２Ａに置き換えることによって、図２などのＣＣＤ３１と同様のモデルとすることが可能である。なお、他のＨ１Ｂ入力端子とＨ２Ｂ入力端子などについても同様である。
【００７６】
このとき、全Ｈ１入力端子−グランド間の合成等価容量と全Ｈ２入力端子−グランド間の合成等価容量とは、容量値が構造上一致していると考えられるため、等価容量ＣＨ１ＡとＣＨ２Ａとは、容量値が異なる。
【００７７】
このような負荷条件では、水平転送クロックＨ１Ａと水平転送クロックＨ２Ａの過渡特性のタイミングが異なったものとなるため、水平転送クロックＨ１Ａ，Ｈ２Ａは、図３（ｂ）の水平転送クロックＨ１，Ｈ２のようになる。
【００７８】
この場合には、上記実施の形態１の図３（ｂ）の場合と同様に、ＨＣＣＤの電荷転送効率が下がり、駆動電流の違いに起因する広いスペクトルの不要輻射が増え、水平転送クロックＨ１Ａ，Ｈ２Ａにオーバーシュート／アンダーシュートが発生する。なお、他のＨ１Ｂ出力端子とＨ２Ｂ出力端子などについても同様である。
【００７９】
そこで、この実施の形態５の撮像装置においても、水平転送クロック駆動回路を、上記実施の形態１から４までのいずれかの水平転送クロック駆動回路（図２または図５から図７まで）と同様の構成として、負荷容量ＣＨ１ＡとＣＨ２Ａの差分を補正するようにコンデンサＣ１Ａ，Ｃ２Ａを設ける。なお、他の水平転送クロックＨ１ＢとＨ２Ｂなどについても同様である。
【００８０】
このように４つのＨ１入力端子および２つのＨ２入力端子においての相互の端子間の負荷容量の差分をそれぞれ補正するように、全ての水平転送クロック入力端子のそれぞれにコンデンサを設けることにより、上記実施の形態１から４までと同様に、ＨＣＣＤの電荷転送効率を改善でき、駆動電流の違いに起因する広いスペクトルの不要輻射を削減でき、水平転送クロックにおいてのオーバーシュート／アンダーシュートの発生を防止できる。
【００８１】
以上のように実施の形態５によれば、水平６相駆動型の撮像装置においても、上記実施の形態１から４までと同様の効果が得られる。
【００８２】
実施の形態６．
図９は本発明の実施の形態６の携帯情報端末装置のブロック構成図である。この実施の形態６の携帯端末装置は、撮像データを表示する機能、記録する機能、および通信する機能を有する携帯電話または携帯情報機器（例えば携帯パソコン）であって、撮像素子１と、ＣＣＤ駆動信号ドライブ部２と、撮像システム制御部３と、撮像信号処理部４と、メインシステム制御部５と、メイン信号処理部６と、記録装置７と、表示装置８と、通信装置９とを備えている。
【００８３】
図９の実施の形態６の携帯情報端末装置において、撮像素子１と、ＣＣＤ駆動信号ドライブ部２と、撮像システム制御部３と、撮像信号処理部４と、メインシステム制御部５と、メイン信号処理部６とは、実施の形態６の撮像装置を構成している。
【００８４】
この実施の形態６の撮像装置は、上記実施の形態１から４までのいずれかの撮像装置に、メインシステム制御部５およびメイン信号処理部６を設けたものである。言い換えると、実施の形態６の携帯情報端末装置は、上記実施の形態１から４までのいずれかの撮像装置を搭載して構成したものである。なお、上記実施の形態５の撮像装置を搭載して構成することも可能である。
【００８５】
メイン信号処理部６は、メインシステム制御部５よって制御され、撮像信号処理部４から出力された撮像信号ＣＣＤＯＵＴを白色補正し（ホワイトバランス機能）、撮像信号ＣＣＤＯＵＴの信号レベルを検出して自動露光補正し（ＡＥ機能）、撮像信号ＣＣＤＯＵＴのＯＢ領域の漏れ電荷量を検出して信号レベルを補正する（スミア・暗電流補正機能）。
【００８６】
また、メイン信号処理部６は、メインシステム制御部５よって制御され、撮像信号処理部４から出力された撮像信号ＣＣＤＯＵＴまたは記録装置７に記録されている撮像データを表示装置８で表示可能なＲＧＢ信号に変換して、表示装置８に出力する。また、撮像信号ＣＣＤＯＵＴを記録装置７に記録可能な撮像データに圧縮変換して、記録装置７に出力する。
【００８７】
記録装置７は、メイン信号処理部６で変換された記録フォーマットの撮像データを記録する装置であって、例えばフラッシュメモリ、ＦＤＤ、ＨＤＤ、ＤＡＴ、ＤＶ、ＤＶＤなどの記録メディアに上記撮像データを記録することが可能である。なお、この記録装置７は、携帯情報端末装置内に内蔵した構成ならびに外付けの構成などが可能である。
【００８８】
表示装置８は、メイン信号処理部６からのＲＧＢ信号を表示する装置であって、動画像表示、静止画像表示、記憶装置に記録された画像データのプレビュー表示などが可能である。
【００８９】
通信装置９は、メインシステム制御部５よって制御され、携帯電話方式や無線ＬＡＮ方式などの無線通信、あるいはＵＳＢやＩＥＥＥ１３９４などの有線通信によって、他の通信機能を有する携帯情報端末装置と、画像データや音声データなどを通信する。
【００９０】
メインシステム制御部５は、撮像システム制御部３からの垂直同期信号ＶＤおよび水平同期信号ＨＤに同期して撮像システム制御部３を制御することによって、撮像装置の電子シャッター動作、ＡＧＣ（Auto Gain Control）動作、長時間露光動作などを制御し、上記実施の形態５の撮像装置を設けた場合にはさらに全画素読み出し動作と画素混合読み出し動作の切り換えを制御する。このように、メインシステム制御部５は、垂直同期信号ＶＤおよび水平同期信号ＨＤに同期して撮像装置を制御する（同期制御）。
【００９１】
また、メインシステム制御部５は、非同期に撮像システム制御部３を制御することによって、撮像装置の電源投入時のパワーアップシーケンス、電源ＯＦＦ時のパワーダウンシーケンス、撮像装置のリセット動作などを制御する。このように、メインシステム制御部５は、垂直同期信号ＶＤおよび水平同期信号ＨＤとは非同期に撮像装置を制御する（非同期制御）。
【００９２】
また、メインシステム制御部５は、シャッターボタンのＯＮ信号やユーザによって設定入力された記録画素数設定値などを検出する。
【００９３】
情報携帯端末装置では、撮像装置において水平転送クロックなどの数［ＭＨｚ］の駆動クロックを用いている。また、無線通信機能を有する場合には、送受信帯域に数百［ＭＨｚ］から数［ＧＨｚ］の周波数帯域を用いる。このため、上記駆動クロックの高調波成分の輻射が情報携帯端末装置の送受信帯域に割り込んで、送受信感度（送受信のＳ／Ｎ）の劣化や無線通信ができないなどのＥＭＩの問題を生じる場合がある。
【００９４】
すなわち、高フレームレートの動画や高精細な静止画に対応するため、撮像素子の水平転送クロックの周波数は、数［ＭＨｚ］から数十［ＭＨｚ］となっている。
ところで、図１０に、携帯電話端末の通信に用いられる周波数帯域を示す。図に示すように、８００［ＭＨｚ］から数［ＧＨｚ］までの幅広い帯域が携帯電話端末の通信に使用されている。なお、［ＧＨｚ］レベルの帯域は、ＩＥＥＥ８０２．１１ａ、ＩＥＥＥ８０２．１１ｂ、ＩＥＥＥ８０２．１１ｇ規格により定まる無線ＬＡＮでも用いられている。したがって、水平転送クロックの数十次から数百次の不要輻射は、携帯電話端末の送受信感度に影響を及ぼす可能性がある。また、カメラ撮影の際、この不要輻射が、通信の待ち受け感度に影響を及ぼす可能性もある。
さらに、携帯電話端末は小型化、薄型化が非常に強く要求される製品である。したがって、カメラモジュールとＲＦ受信アンテナが近接する構造となり、水平転送クロックの不要輻射の影響を受けやすくなり、また、シールドを設けるスペースも確保できない場合が多い。
【００９５】
そこで、容量性負荷を用い、携帯電話端末の送受信帯域内でインダクタ成分、共振点を持たないＬＰＦを構成すると、送受信帯域が時間的に変化する携帯電話端末にも有効な不要輻射対策となる。また、回路に容量性負荷を追加するだけであるので、コスト削減、実装面積の縮小等の効果も大きい。さらに、容量性負荷により構成されたＬＰＦは、携帯電話端末ごとに不要輻射対策を変更する必要も無く、携帯電話の開発コスト抑制の効果も大きい。
なお、容量性負荷は、水平転送クロックの出力端子近傍に配置することが望ましい。これは、以下のような理由による。すなわち、容量性負荷と出力端子近傍との間の配線がアンテナとなり、このアンテナから不要輻射が発生することよりに携帯電話端末の受信感度が劣化する。したがって、容量性負荷を水平転送クロックの出力端子近傍に配置することにより、不要輻射を発生するアンテナとなる部分を短くし、受信感度劣化を抑制できるからである。
【００９６】
ところで、タイミングジェネレータとＣＣＤとをつなぐ配線が長い場合、接続した容量性負荷からのリターン電流がグランドプレーンを通じてタイミングジェネレータに戻る径路も複雑になり、不要輻射が発生する可能性も高くなる。そこで、タイミングジェネレータとＣＣＤとをつなぐ配線を短くし、かつ、タイミングジェネレータ側にグランドプレーンを接続することにより、不要輻射の発生を抑制することが出来る。グランドプレーンは他の回路、機器等と共通としている場合が多く、グランドプレーンに不要輻射が流れ込むと、他の回路等に対してもＥＭＩとなる。
【００９７】
図１１（ａ），（ｂ）は、タイミングジェネレータと容量性負荷とグランドプレーンとの接続を模式的に表した図である。図において、３０はタイミングジェネレータ、３５は容量性負荷、３６は水平転送クロックＨ１、Ｈ２の配線、３７はタイミングジェネレータのグランド側の端子に接続されたグランドプレーンを示す。図１１（ａ）では、グランドプレーン３７とタイミングジェネレータ３０との配線が長いため、容量性負荷が接続されたグランドプレーン３７が広い場合であっても、この配線がアンテナとなり、不要輻射が増加する。一方、図１１（ｂ）では、タイミングジェネレータ３０とグランドプレーン３７との間の配線を短くし、不要輻射の発生を抑制している。また、タイミングジェネレータ３０から容量性負荷３５を経由した電流径路が他のグランドラインへ影響を及ぼさないような配置となっている。
【００９８】
すなわち、この実施の形態６の情報携帯端末装置では、上記実施の形態１から４までのいずれかの撮像装置、あるいは上記実施の形態５の撮像装置を搭載することにより、駆動クロックの高調波成分の不要な輻射を削減して、駆動クロックの高調波成分の輻射が送受信帯域に割り込むのを防止し、送受信感度の向上を図っている。
【００９９】
以上のように実施の形態６によれば、通信機能を有する情報携帯端末装置に、上記実施の形態１から５までのいずれかの撮像装置を設けることにより、複雑なＥＭＩフィルタを設けることなく、駆動クロックによる不要輻射を削減できるので、上記不要輻射が携帯情報端末装置の送受信帯域に割り込むのを防止して、携帯情報端末装置の送受信感度を向上させることができる。
【図面の簡単な説明】
【０１００】
【図１】本発明の実施の形態１の撮像装置のブロック構成図である。
【図２】本発明の実施の形態１の撮像装置においての水平転送クロック駆動回路の回路図である。
【図３】撮像装置においての水平転送クロックの波形図であり、（ａ）はＣＣＤ内の容量（タイミングジェネレータの負荷容量）ＣＨ１とＣＨ２が同等の場合、（ｂ）は負荷容量ＣＨ１とＣＨ２が互いに異なる場合、（ｃ）は異なる負荷容量ＣＨ１，ＣＨ２をコンデンサＣ１，Ｃ２によって補正した本発明の実施の形態１の撮像装置の場合である。
【図４】撮像装置の水平転送クロックのオーバーシュート／アンダーシュートの波形図である。
【図５】本発明の実施の形態２の撮像装置においての水平転送クロック駆動回路の回路図である。
【図６】本発明の実施の形態３の撮像装置においての水平転送クロック駆動回路の回路図である。
【図７】本発明の実施の形態４の撮像装置においての水平転送クロック駆動回路の回路図である。
【図８】本発明の実施の形態５の撮像装置のブロック構成図である。
【図９】本発明の実施の形態６の撮像装置のブロック構成図である。
【図１０】携帯電話端末の通信に用いられる周波数帯域を示す図である。
【図１１】本発明の撮像装置内の接続を模式的に示した図である。
【符号の説明】
【０１０１】
１  撮像素子、  ２  ＣＣＤ駆動信号ドライブ部、  ３  撮像システム制御部、  ４  撮像信号処理部、  ５  メインシステム制御部、  ６  メイン信号処理部、  ７  記録装置、  ８  表示装置、  ９  通信装置、  ３０  タイミングジェネレータ、  ３１  ＣＣＤ、  Ｃ１，Ｃ１ａ，Ｃ１ｂ，Ｃ１ｃ，Ｃ２，Ｃ２ａ，Ｃ２ｂ，Ｃ２ｃ，Ｃ３，Ｃ４，Ｃ５，Ｃ６  コンデンサ、  Ｒ１，Ｒ２  抵抗。
【図１】
2004282725.tif 000003
【図２】
2004282725.tif 000004
【図３】
2004282725.tif 000005
【図４】
2004282725.tif 000006
【図５】
2004282725.tif 000007
【図６】
2004282725.tif 000008
【図７】
2004282725.tif 000009
【図８】
2004282725.tif 000010
【図９】
2004282725.tif 000011
【図１０】
2004282725.tif 000012
【図１１】
2004282725.tif 000013